(57)【要約】【課題】  変調方式を適応的に選択する処理における処理負荷を低減することができる。【解決手段】  適応変調方式を用いた無線通信装置であって、他の無線通信装置との無線通信において、所定の信号区間に含まれる、複数の既知信号ごとの信号品質情報を取得する取得部と、取得部で取得した複数の信号品質情報に基づいて、所定の信号区間における、複数の信号品質情報間の差を示す値を算出する算出部と、予め、差を示す値を含む所定範囲ごとに、変調クラスと信号品質を示す値との対応付けを記憶する記憶部と、算出部で差を示す値が算出された場合、記憶部に記憶された、算出された差を示す値に対応する所定範囲の対応付けを設定する制御部と、を備える。【選択図】  図２
2009055431.tif 000002
【特許請求の範囲】
【請求項１】
適応変調方式を用いて他の無線通信装置と無線通信する無線通信装置であって、
前記他の無線通信装置との無線通信において、所定の信号区間に含まれる、複数の既知信号ごとの信号品質情報を取得する信号品質情報取得部と、
前記信号品質情報取得部で取得した複数の信号品質情報に基づいて、前記所定の信号区間における、前記複数の信号品質情報間の差を示す値を算出する算出部と、
予め、前記差を示す値を含む所定範囲ごとに、変調クラスと信号品質を示す値との対応付けが記憶された記憶部と、
前記算出部で前記差を示す値が算出された場合、前記記憶部に記憶された、前記算出された差を示す値に対応する所定範囲の対応付けを設定する制御部と、
を備えることを特徴とする無線通信装置。
【請求項２】
前記記憶部には、
予め、前記差を示す値に対応する所定範囲が速度情報に対応され、当該速度情報ごとに変調クラスと信号品質を示す値との対応付けが記憶されている、
ことを特徴とする請求項１に記載の無線通信装置。
【請求項３】
前記対応付けは、変調クラスに対応付けられた信号品質を示す値が、前記速度情報における速度を示す値が大きくなるごとに、小さくなるように設定されている、
ことを特徴とする請求項２に記載の無線通信装置。
【請求項４】
前記制御部は、
前記算出部が、前記差を示す値の算出に用いた複数の既知信号の信号品質情報のうち、相対的に信号品質が劣化している信号品質情報に基づいて、前記設定された対応付けから、変調クラスを選択する、
ことを特徴とする請求項１乃至３のいずれか１項に記載の無線通信装置。
【請求項５】
前記算出部は、
前記所定の信号区間における、最後部に配置された既知信号の信号品質情報と、該最後部に配置された既知信号よりも前に配置された既知信号の信号品質情報との差を算出する、
ことを特徴とする請求項１乃至４に記載の無線通信装置。
【請求項６】
無線通信装置が、
他の無線通信装置との間で適応変調方式による無線通信を行うにあたり、
所定の信号区間に含まれる、複数の既知信号ごとの信号品質情報を取得する取得ステップと、
前記取得した複数の信号品質情報に基づいて、前記所定の信号区間における、前記複数の信号品質情報間の差を示す値を算出する算出ステップと、
前記算出された値が含まれる所定範囲についての、変調クラスと信号品質を示す値との対応付けを設定する制御ステップと、
を含むことを特徴とする無線通信方法。
【発明の詳細な説明】
【技術分野】
【０００１】
本発明は、変調方式を適応的に選択する際の処理負荷を低減できる無線通信装置、及び無線通信方法に関する。
【背景技術】
【０００２】
例えば、適応変調方式を用いて基地局と無線端末から構成される無線通信システムでは、無線端末が高速で移動している場合、フェージング等の影響で回線品質が頻繁に変動する。そのため、基地局と無線端末との無線通信における通信フレームには、既知信号を配置し、各既知信号から、フェージング等の影響による、回線品質（例えば、ＳＮＲ（Ｓｉｇｎａｌ  ｔｏ  Ｎｏｉｓｅ  Ｒａｔｉｏ））の変動を推定し、当該推定した回線品質の変動を考慮した上で、変調方式を選択する技術が提案されている（例えば、特許文献１参照）。
【０００３】
上述した特許文献１では、例えば、送受信装置が、他の送受信装置から送信されたデータを受信すると、当該受信したデータから回線品質検出値Ａを検出している。次に、送受信装置は、検出した回線品質検出値Ａと、当該回線品質検出値Ａの直前に受信したデータから検出した回線品質検出値Ｂとの回線品質検出値の変化量を算出し、当該変化量からフェージングの影響による回線品質の変化を推定している。さらに、送受信装置は、回線品質検出値と比較し、変調方式を選択するための判定基準として、算出した変化量に応じた閾値を設定する。そして、設定した閾値と回線品質検出値Ａとを比較した後に、比較結果に応じて、回線品質検出値Ａに基づく変調方式を選択している。変調方式には、例えばＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６  Ｑｕａｄｒａｔｕｒｅ  Ａｍｐｌｉｔｕｄｅ  Ｍｏｄｕｌａｔｉｏｎ）、６４ＱＡＭ（６４  Ｑｕａｄｒａｔｕｒｅ  Ａｍｐｌｉｔｕｄｅ  Ｍｏｄｕｌａｔｉｏｎ）等がある。変調方式は、例えば、以下のようにして選択される。すなわち、（Ａ）回線品質検出値の変化量が大きい値に変化、つまり回線品質検出値Ａが、回線品質検出値Ｂよりも良くなる場合、回線品質検出値Ａと比較し、変調方式を選択するための閾値を低く設定し、誤り耐性が低く、誤り率が高いがビットレートの高い変調方式（例えば、１６ＱＡＭ）が選択され易くし、（Ｂ）回線品質検出値の変化量が小さい値に変化、つまり回線品質検出値が、回線品質検出値よりも悪くなる場合、回線品質検出値Ａと比較し、変調方式を選択するための閾値を高く設定し、誤り耐性が高く、誤り率が低いがビットレートの低い変調方式を（例えば、ＱＰＳＫ）が選択され易くしている。また、送受信装置の移動速度が大きい場合、回線品質検出値Ａと比較し、変調方式を選択するための閾値を高く設定し、一方、送受信装置の移動速度が小さい場合、回線品質検出値Ａと比較し、変調方式を選択するための閾値を高く設定している。
【特許文献１】特開２００４−３６３７１２号公報
【発明の開示】
【発明が解決しようとする課題】
【０００４】
特許文献１においては、回線品質検出値の変化量が大きい値に変化（回線品質が良くなる）、または、回線品質検出値の変化量が小さい値に変化（回線品質が悪くなる）のいずれに該当するかによって、回線品質検出値Ａと比較し、変調方式を選択するための閾値を設定している。そのため、回線品質検出値を検出した後に、当該回線品質検出値と比較し、変調方式を選択するための閾値を、変調方式を選択する度に設定しなければならず、一定の処理負担がかかることとなる。さらには、複数の変調方式から適応的な変調方式を選択する場合、送受信装置は、回線品質検出値の変化量に応じて、変調方式を選択するために用いる閾値の全てを、回線品質検出値を検出する度に設定しなければならず、処理負荷はさらに増加してしまう。
【０００５】
本発明は、このような事情に鑑みて行われたものであり、その目的は、所定の信号区間に含まれる信号品質情報の差を示す値から処理負荷のかからない無線通信装置、及び無線通信方法を提供することを目的とする。
【課題を解決するための手段】
【０００６】
上述した諸課題を解決すべく、本発明は、適応変調方式を用いて他の無線通信装置と無線通信する無線通信装置であって、前記他の無線通信装置との無線通信において、所定の信号区間に含まれる、複数の既知信号ごとの信号品質情報を取得する信号品質情報取得部と、前記信号品質情報取得部で取得した複数の信号品質情報に基づいて、前記所定の信号区間における、前記複数の信号品質情報間の差を示す値を算出する算出部と、予め、前記差を示す値を含む所定範囲ごとに、変調クラス（変調方式）と信号品質を示す値との対応付けが記憶された記憶部と、前記算出部で前記差を示す値が算出された場合、前記記憶部に記憶された、前記算出された差を示す値に対応する所定範囲の対応付けを設定する制御部と、を備えることを特徴とする
第１の特徴によれば、無線通信装置が、変調クラス（変調方式）と信号品質を示す値の対応付け（テーブル）を予め記憶しておき、複数の信号品質情報の差を示す値（以下、単に差分値と称する。）を含む所定範囲におけるテーブルを設定し、適応変調の処理を行う。ここで、対応付け（テーブル）を設定するとは、当該差分値を算出した時点で設定されている対応付け（テーブル）における所定範囲から、差分値が外れた場合のみ、対応付け（テーブル）の設定（変更）を行う、ということを意味する。つまり、差分値を算出した時点で設定されている対応付けにおける所定範囲から当該差分値が外れていない場合、変調クラス（変調方式）を選択する度に当該差分値を算出した時点で設定されている対応付け（テーブル）に設定しない。これにより、差分値が、所定範囲から外れた場合のみ、予め記憶されている対応付け（テーブル）の設定（変更）を行うため、適応変調の処理を行うための処理負荷を低減できる。また、信号区間とは、無線通信に割り当てられた１フレーム、１タイムスロット、１空間多重スロットなどを意味し、所定の信号区間とは、無線通信装置が、他の無線通信装置へデータを送信するための信号区間、または、他の無線通信装置からデータを受信するための信号区間、を意味する。さらに、複数の信号品質情報間の差を示す差分値とは、（１）信号品質情報が２つである場合、この２つの信号品質情報から算出した差分値、（２）信号品質情報が３つ以上ある場合、複数の信号品質情報を比較し、比較結果から信号品質が最も良い信号品質情報と、最も劣化している信号品質情報を抽出し、この２つの信号品質情報から、算出された差分値、（３）信号品質情報が３つ以上ある場合、複数の信号品質情報を比較し、最も劣化している信号品質情報と、その直近における信号品質情報から、算出された差分値、（４）信号品質情報が３つ以上ある場合、特定の２つの既知信号の間に配置される複数の既知信号（特定の２つの既知信号を含む）における信号品質情報から算出された差分値、等を意味する。
【０００７】
また、第２の発明による無線通信装置において、前記記憶部には、予め、前記差を示す値に対応する所定範囲が速度情報に対応され、当該速度情報ごとに変調クラスと信号品質を示す値との対応付けが記憶されている、ことを特徴とする。
【０００８】
第２の特徴によれば、単に、複数の信号品質情報から算出した差分値が含まれる所定範囲から、変調方式を選択するための対応付け（テーブル）を設定するのではなく、速度情報を介して、対応付け（テーブル）を設定する。ここで、速度情報とは、信号品質情報の差分が含まれる所定範囲から推定できる値である。この速度情報から対応付け（テーブル）の設定をすることで、単に差分値が所定範囲から外れたか否かで、対応する対応付け（テーブル）に設定することなく、速度情報から推定できる伝播環境に応じた対応付け（テーブル）を設定できるため、誤り耐性が低く、誤り率が高いが、ビットレートの高い変調クラス（変調方式）を選択することがない。
【０００９】
また、第３の発明による無線通信装置において、前記対応付けは、変調クラスに対応付けられた信号品質を示す値が、前記速度情報における速度を示す値が大きくなるごとに、小さくなるように設定されている、ことを特徴とする。
【００１０】
第３の特徴によれば、対応付け（テーブル）は速度情報に対応して複数記憶されている。そして、複数記憶されている対応付けにおける変調クラスの信号品質を示す値は異なる。例えば、速度情報における速度を示す値が大きくなるにつれ、当該速度情報ごとに記憶されている対応付けにおける、変調クラスの信号品質を示す値は小さくなる。これにより、速度情報が大きい場合、つまり移動速度が速い場合（高速移動時）における、フェージング等による伝播環境が急激に変化するような状況において、誤り耐性が高い変調クラス（変調方式）を選択することができるため、安定した無線通信を継続することができる。
【００１１】
また、第４の発明による無線通信装置において、前記制御部は、前記算出部が、前記差を示す値の算出に用いた複数の既知信号の信号品質情報のうち、相対的に信号品質が劣化している信号品質情報に基づいて、前記設定された対応付けから、変調クラスを選択する、ことを特徴とする。
【００１２】
第４の特徴によれば、相対的に信号品質が劣化している信号品質情報を優先的に用いて、設定されている対応付け（テーブル）で変調クラス（変調方式）を選択する。これにより、伝播環境が急激に変化するような状況でも、信号品質情報の変動の影響を受けることなく、変調クラス（適応変調）の選択を行うことができる。ここで、相対的に信号品質が劣化している信号品質情報とは、所定の信号区間における複数の信号品質情報の中で、最も信号品質の良い信号品質情報を除く、その他の信号品質情報であり、例えば、所定の信号区間における、（１）他の信号品質情報と比較して信号品質が劣化している信号品質情報、（２）所定の信号区間をさらに細分化した区間において信号品質が劣化している信号品質情報、（３）複数の特定の位置に配置された既知信号における信号品質が劣化している信号品質情報、等を意味する。さらに（１）乃至（３）の、信号品質が劣化している信号品質情報は、所定の信号区間において、最も劣化している信号品質情報であるとは限らない。
【００１３】
また、第５の発明による無線通信装置において、前記算出部は、前記所定の信号区間における、最後部に配置された既知信号の信号品質情報と、該最後部に配置された既知信号よりも前に配置された既知信号の信号品質情報との差を算出する、ことを特徴とする。
【００１４】
第５の特徴によれば、所定の信号区間における、最後部（末尾部）に配置された既知信号の信号品質情報と、当該最後部に配置された既知信号を除く既知信号の信号品質情報との差分値を算出する。これにより、無線通信時にデータを送受信する場合、最も直近の信号品質情報を用いて、差分値を算出するため、伝播環境の急激な変化に起因する影響を考慮した、変調クラス（変調方式）を算出するための対応付けの設定を行うことができる。また、直近の信号品質情報が障害物等の影響により劣化している場合にも対応できる。
【００１５】
本発明を方法として実現させた第６の発明による無線通信方法は、無線通信装置が、他の無線通信装置との間で適応変調方式による無線通信を行うにあたり、所定の信号区間に含まれる、複数の既知信号ごとの信号品質情報を取得する取得ステップと、前記取得した複数の信号品質情報に基づいて、前記所定の信号区間における、前記複数の信号品質情報間の差を示す値を算出する算出ステップと、前記算出された差を示す値に基づいて、前記差を示す値が含まれる所定範囲についての、変調クラスと信号品質を示す値との対応付けを設定する制御ステップと、を含むことを特徴とする無線通信方法。
【発明の効果】
【００１６】
無線通信装置が、他の無線通信装置から受信した複数の既知信号の信号品質情報の中から算出した差分値が含まれる所定範囲に対応する、予め記憶した対応付けを採用することで、適応変調の処理を行うための処理負荷を低減できる。
【発明を実施するための最良の形態】
【００１７】
次に、図面を参照して、本発明の実施の形態を説明する。以下の図面の記載において、同一又は類似の部分には、同一又は類似の符号を付している。ただし、図面は模式的なものであることに留意すべきである。
【００１８】
図１は、本発明の実施の形態に係る無線通信方法、及び無線通信装置が適用されるネットワークの一例を示した図であり、基地局１（無線通信装置）と無線端末３（他の無線通信装置）が含まれる。
【００１９】
図２は、図１で示すネットワークに含まれる基地局１（無線通信装置）の各要部構成を示すブロック図である。基地局１は、データを送受信する送受信部１０、受信したデータを復調する復調部１１、復調後の受信データから複数の信号品質情報を取得する信号品質情報取得部１２、信号品質情報の差分を示す差分値を算出する差分値算出部１３、無線端末３（他の無線通信装置）との無線通信における変調クラス（変調方式）を選択する制御部１４、制御部１４が、無線端末３との無線通信における変調クラス（変調方式）を選択するために設定する、変調クラス（変調方式）と信号品質を示す値との対応付け（以下、単にテーブルと称する。）が記憶された記憶部１５、送信するデータの変調を行う変調部１６から構成される。
【００２０】
送受信部１０は、無線端末３とデータの送受信を行う。無線端末３から送信されたデータを受信し、復調部１１に出力する。また、変調部１６から入力された変調後の送信データを無線端末３に送信する。データの送受信は、基地局１が、無線端末３との無線通信方式に応じて割当てた信号区間ごとに行われる。本実施例においては、基地局１が、無線端末３との無線通信に割当てる信号区間として、データの送信及び受信に、各１フレームを割当てたものとする。そして、送受信するデータの伝送単位となる１フレームごとに複数の既知信号が配置されている（詳細は後述する）。しかしながら、信号区間は、無線通信方式に応じて設定されるものであり、例えば、時分割多重接続方式では、無線端末３との無線通信に割当てたタイムスロットとなり、空間分割多重接続方式では、空間多重スロット、等となる。
【００２１】
復調部１１は、送受信部１０から入力された受信データを復調し、復調後の受信データを信号品質情報取得部１２に出力する。併せて、復調後の受信データを、基地局１における、その他の構成部（図示しない）に出力する。
【００２２】
信号品質情報取得部１２は、復調部１１から出力された復調後の受信データに配置された複数の既知信号の信号品質情報として、各既知信号におけるＳＩＮＲ(Ｓｉｇｎａｌ  ｔｏ  Ｉｎｔｅｒｆｅｒｅｎｃｅ  ａｎｄ  Ｎｏｉｓｅ  Ｒａｔｉｏ)を算出し、取得する。このＳＩＮＲは、所望信号に対する干渉および雑音の電力の比であり、その値が高いほど信号品質が良いことを意味する。
【００２３】
信号品質情報取得部１２は、上述した受信データに含まれる複数の既知信号毎にＳＩＮＲを算出し、取得するため、第１〜第ｎまでの複数の既知信号品質情報取得部１２０〜１２０ｎを備える。これらの既知信号品質情報取得部は、所定の信号区間（１フレーム）に含まれる、既知信号の数だけ備える。第１〜第ｎの既知信号品質情報取得部１２０〜１２０ｎは、復調部１１から出力された復調後の受信データから、各対応する既知信号におけるＳＩＮＲを取得する（詳細は後述する）。そして、取得した該ＳＩＮＲに関する情報を、差分値算出部１３に出力する。
【００２４】
上述した信号品質情報取得部１２では、所定の信号区間として、無線端末３から基地局１が受信した１フレームの受信データ、つまりＵｐｌｉｎｋにおけるＳＩＮＲを算出し、取得しているが、これに限られるものではない。基地局１から送信されたデータを受信した無線端末３が算出した各既知信号における各ＳＩＮＲを、基地局１が取得してもよい。この場合、Ｄｏｗｎｌｉｎｋにおける、基地局が送信した１フレームの送信データが所定の信号区間となる。この時、第１〜第ｎの既知信号品質情報取得部１２０〜１２０ｎは、復調部１１から出力された復調後の受信データから、各対応する既知信号におけるＳＩＮＲを取得するだけでよい。
【００２５】
差分値算出部１３は、信号品質情報取得部１２より入力された、複数のＳＩＮＲに関する情報を比較し、差分値の算出を行うために必要なＳＩＮＲを抽出する信号品質情報抽出部１３０、該抽出したＳＩＮＲの差分値を算出する算出部１３１、算出部１３１から入力された差分値に関する情報から、当該差分値が所定値を超えているか否かを判定する差分値判定部１３２、差分値判定部１３２における判定結果に基づいて適応変調の変調方式の選択を行うためのＳＩＮＲを選択する信号品質情報選択部１３３、を、さらに備える。
【００２６】
信号品質情報抽出部１３０は、信号品質情報取得部１２より入力された複数のＳＩＮＲを比較し、差分を算出するために用いるＳＩＮＲを抽出する。例えば、信号品質情報取得部１２より２つのＳＩＮＲが入力された場合、この２つのＳＩＮＲを抽出し、算出部１３１に出力する。一方、信号品質情報取得部１２より３つ以上、ＳＩＮＲが信号品質情報抽出部１３０に入力された場合、例えば、１フレームにおいて含まれる特定の複数の既知信号の中や、１フレームをさらに細分化した区間において含まれる特定の複数の既知信号の中において、（１）複数のＳＩＮＲを比較し、比較結果から信号品質が最も良いＳＩＮＲと、最も劣化しているＳＩＮＲを抽出してもよいし、（２）複数のＳＩＮＲを比較し、最も劣化しているＳＩＮＲと、その直近における既知信号のＳＩＮＲを抽出してもよい。そして、比較結果に関する情報と共に２つの抽出したＳＩＮＲに関する情報を算出部１３１に出力する。
【００２７】
算出部１３１は、信号品質情報抽出部１３０より入力された、ＳＩＮＲにおける信号品質の差分値を算出し、算出した差分値に関する情報と共に、差分値の算出に用いたＳＩＮＲに関する情報を差分値判定部１３２に出力する。
【００２８】
差分値判定部１３２は、算出部１３１から入力された差分値に関する情報から、差分値が所定値を超えているか否かを判定する。ここで、所定値とは、ＳＩＮＲにおける差分値から、無線端末３が高速で移動していると推定するための判定基準となる閾値である。そして、この所定値を超える場合、無線端末３が高速で移動していると推定でき、一方、所定値以下となる場合、無線端末３は移動しているが高速で移動していない、または移動を行っていないと推定できる。そして、判定結果に関する情報と共に、信号品質抽出部１３０から入力されたＳＩＮＲに関する情報を、信号品質情報選択部１３３に出力する。
【００２９】
信号品質情報選択部１３３は、差分値判定部１３２から入力された判定結果に関する情報に基づいて、変調方式の選択を行うためのＳＩＮＲを、併せて入力されたＳＩＮＲに関する情報から選択する。具体的には、差分値判定部１３２から入力された判定結果から、無線端末３が高速で移動していると推定されている場合、入力されたＳＩＮＲにおいて、信号品質が劣化しているＳＩＮＲを選択する。これに対し、判定結果から、無線端末３が、高速で移動していないと推定されている場合、入力されたＳＩＮＲにおいて、信号品質が良いＳＩＮＲを選択する。そして、信号品質情報選択部１３３は、選択したＳＩＮＲに関する情報と、差分値に関する情報を制御部１４に出力する。
【００３０】
したがって、基地局１では、信号品質情報選択部１３３が選択した、相対的に劣化しているＳＩＮＲを優先的に用いて、無線端末３との無線通信の変調方式を選択する。これにより、ＳＩＮＲが一時的に良くなっても、誤り耐性が低く、誤り率が高いが、ビットレートの高い変調方式を選択することがない。そのため、変調方式を再度変更するための処理を頻繁に行う必要がなく、処理負荷を低減できる。さらに、ビットレートは低いが、誤り耐性が高いため、送受信するデータの誤り率が低く、フェージング等による伝播環境が急激に変化するような状況でも、安定した無線通信を継続することができる。
【００３１】
また、差分値算出部１３において、差分値判定部１３２における判定により、差分値が所定値以下となる場合、信号品質情報選択部１３３は、信号品質を取得したデータ（フレーム）における最後部（末尾部）に配置された既知信号から取得したＳＩＮＲを選択しても良い。この場合、差分値算出部１３が、差分値に関する情報と共に最後部の既知信号におけるＳＩＮＲに関する情報を制御部１４に出力すればよい。
【００３２】
制御部１４は、差分値算出部１３から出力されたＳＩＮＲの差分値に関する情報から、当該差分値の所定範囲に該当する、無線端末３の移動速度を推定する移動速度推定部１４０、該移動速度推定部１４０が推定した移動速度に対応する変調クラス（変調方式）と信号品質を示す値（ＳＩＮＲ）のテーブルであるか否かを判定し、判定結果に応じてテーブルを設定するテーブル設定部１４１、設定されたテーブルと、差分値算出部１３から出力されたＳＩＮＲに関する情報に基づいて、無線端末３（他の無線通信装置）との無線通信における変調クラス（変調方式）を選択する変調方式選択部１４２、をさらに備える。
【００３３】
移動速度推定部１４０は、差分値算出部１３から出力されたＳＩＮＲの差分値に関する情報から、当該差分値の所定範囲に該当する、無線端末３の移動速度を推定する。しかしながら、無線端末３の移動速度については、移動速度情報を持つ無線通信システムであれば、移動速度情報を直接利用して推定してもよく、また、無線端末３との無線通信におけるフレームに含まれる複数の既知信号における位相変化から推定してもよい。更に、フェージング速度（移動速度に相当）推定方法を利用してもよい。
【００３４】
テーブル設定部１４１は、移動速度推定部１４０が、推定した無線端末３の移動速度から、設定されている変調クラス（変調方式）を選択するためのテーブルが、推定した無線端末３の移動速度に対応するテーブルであるか否かの判定を行う。この判定により、無線端末３の移動速度が、設定されているテーブルに対応すると判定した場合、設定されているテーブルをそのまま用いる。一方、判定により、無線端末３の移動速度が、設定されているテーブルに対応しないと判定した場合、記憶部１５に記憶される、無線端末３の移動速度に対応する、変調クラス（変調方式）を選択するためのテーブルに設定する（詳細は後述する）。
【００３５】
変調方式選択部１４２は、設定された変調クラス（変調方式）を選択するためのテーブルと、差分値算出部１３から出力されたＳＩＮＲに関する情報に基づいて、無線端末３（他の無線通信装置）との無線通信における変調クラス（変調方式）を選択する。この時、差分値算出部１３から出力されたＳＩＮＲに関する情報からＵｐｌｉｎｋ、Ｄｏｗｎｌｉｎｋにおける変調クラスを決定している。しかしながら、基地局１が算出することで取得した複数のＳＩＮＲ（以下、ＳＩＮＲ−ＢＳと記載する。）と、無線端末３から複数のＳＩＮＲ（以下、ＳＩＮＲ−ＵＴと記載する。）を取得し、この２種類のＳＩＮＲを共に用い、ＳＩＮＲ−ＢＳより、Ｄｏｗｎｌｉｎｋにおける変調クラスを選択し、一方、無線端末３から取得した複数のＳＩＮＲから制御部１４が選択したＳＩＮＲ−ＵＴより、Ｕｐｌｉｎｋにおける変調クラスを選択してもよい。また、ＳＩＮＲに関する情報から変調クラス（変調方式）を選択する際、上述したテーブルを参照し、該ＳＩＮＲが、特定の変調クラス（変調方式）に対応付けられた値よりも、予め定められた値の範囲内に納まる程度に大きい場合、該値以上で設定されている特定の変調クラスでなく、該特定の変調クラスの１つ下の変調クラスを選択してもよい。これにより、変調クラスの選択により生じてしまう誤り耐性の低下による誤り率の増大を抑制できる。
【００３６】
記憶部１５は、制御部１４が、無線端末３との無線通信における変調クラス（変調方式）を選択するための、変調クラス（変調方式）と信号品質を示す値（ＳＩＮＲ）とのテーブルが記憶されている（図３参照）。これらは、無線端末３を含む無線端末における移動速度ごとに対応する複数のテーブルが記憶されている。そして、制御部１４（テーブル設定部１４１）における、無線端末３の移動速度における判定の結果、無線端末３の移動速度が、設定されているテーブルに対応しないと判定した場合、当該記憶部１５において記憶される、複数のテーブルのうち、無線端末３の移動速度に応じたテーブルが選択された後に、制御部１４は、当該選択したテーブルの設定を行う。このテーブルは、無線端末３の移動速度（速度情報）に対応して複数記憶されていて、速度情報が大きくなるにつれ、当該速度情報ごとに記憶されている対応付けにおける、変調クラスに対応付けられたＳＩＮＲ値は小さくなる。これにより、速度情報が大きい場合、つまり移動速度が速い場合（高速移動時）における、フェージング等による伝播環境が急激に変化するような状況において、誤り耐性が高い変調クラス（変調方式）を選択することができるため、安定した無線通信を継続することができる。
【００３７】
変調部１６は、制御部１４が選択した変調方式にて、送信データを変調して送受信部１０に出力する。
【００３８】
さらに、制御部１４は、差分値算出部１３にて選択されたＳＩＮＲに関する情報に基づいて、基地局１が、無線端末３へデータ送信する際の送信電力の制御を行ってもよい。これにより、基地局１が、相対的に劣化しているＳＩＮＲを優先的に用いて、他の無線通信装置との無線通信の送信電力を制御するため、ＳＩＮＲが一時的に良くなっても、送信電力を下げることがない。そのため、送信電力を再度変更するための処理を頻繁に行う必要がない、最適な送信電力でデータの送信を行うことができる。
【００３９】
図４は、信号区間（フレーム）に配置された複数の既知信号を示す図である。図４（Ａ）は、既知信号が、フレームにおける先頭と末尾に、併せて２つ配置されている。信号品質情報取得部１２における既知信号品質情報取得部１２０，１２１は、復調部１１から入力された復調後の受信データから、各対応する既知信号におけるＳＩＮＲを取得する。つまり、既知信号品質情報取得部１２０は、既知信号１におけるＳＩＮＲ１を、既知信号品質情報取得部１２１は既知信号２におけるＳＩＮＲ２を取得した後に、共に、差分値算出部１３に、取得した各ＳＩＮＲに関する情報を出力する。また、図４（Ｂ）においては、既知信号が、フレームにおける先頭、中間、及び末尾に、併せて３つ配置されているが、この時も同様に、信号品質情報取得部１２における既知信号品質情報取得部１２０、１２１、図示しない１２２が、各対応する既知信号におけるＳＩＮＲを取得し、差分値算出部１３に、取得した各ＳＩＮＲに関する情報を出力する。このように、信号品質情報取得部１２では、受信データに含まれる複数の既知信号毎のＳＩＮＲを、各既知信号に対応する第１〜第ｎまでの複数の既知信号品質情報取得部１２０〜１２０ｎが、取得する。
【００４０】
次に、基地局１における処理フローを示す図５を参照しながら基地局１における一連の処理の流れを説明する。
【００４１】
基地局１は、無線端末３と接続し、無線通信を行っている（図１参照）。この無線通信開始時、基地局１は、データの送受信を行うため、送信及び受信のために、信号区間となる１フレームを無線端末３に割当てた後にデータの送受信を行う。この割当てたフレームにおいては、２つの既知信号が含まれている（図４（Ａ）参照）。基地局１は、無線端末３との無線通信時に、無線端末３からデータ（信号）を受信する（図５におけるＳ２０）。そして、受信したデータの復調を行った後に、復調後のデータから既知信号１におけるＳＩＮＲ１を取得する（図５のＳ２１）。また、略同時に、復調後のデータから既知信号２におけるＳＩＮＲ２も取得する（図５のＳ２２）。
【００４２】
次に、取得したＳＩＮＲ１とＳＩＮＲ２の差分値を算出し（図５におけるＳ２３）、さらに該２つのＳＩＮＲの差分値が、所定値を超えているか否かを判定する（図５のＳ２４）。判定の結果、ＳＩＮＲの差分値が、所定値を超えていると判定された場合（図５におけるＳ２４Ｙｅｓに相当）、信号品質の劣化しているＳＩＮＲを選択する（図５におけるＳ２５）。一方、判定の結果、ＳＩＮＲの差分値が、所定値以下であると判定された場合（図５におけるＳ２４Ｎｏに相当）、信号品質の良いＳＩＮＲを選択する（図５におけるＳ２６）。そして、ＳＩＮＲの差分値から、無線端末３の移動速度を推定する（図５におけるＳ２７）。そして、現在設定されているテーブルが、推定した無線端末３の移動速度に対応するテーブルであるか否かの判定を行う（図５におけるＳ２８）。判定の結果、無線端末３の移動速度が、設定されているテーブルに対応すると判定された場合（図５におけるＳ２８Ｙｅｓに相当）、当該設定されているテーブルと、選択したＳＩＮＲに基づいて適応変調における変調クラス（変調方式）を選択し（図５におけるＳ３０）、処理を終了する。一方、判定の結果、無線端末３の移動速度が現在設定されているテーブルに対応しないと判定した場合（図５におけるＳ２８Ｎｏに相当）、記憶部１５に記憶される、無線端末３の移動速度に対応する対応付けテーブルを設定し（図５におけるＳ２９）、新たに設定されたテーブルと、選択したＳＩＮＲに基づいて適応変調における変調クラス（変調方式）を選択し（図５におけるＳ３０）、処理を終了する。
【００４３】
なお、本発明は上記実施の形態に限定されるものではない。例えば、本発明は、無線通信装置として基地局１を、他の無線通信装置として無線端末３とする無線通信における実施の形態を記載したが、これに限られるものではない。本発明における無線通信装置及びその他の通信装置は、少なくともいずれか一方が、無線端末であればよく、共に無線端末での無線通信、例えば、アドホックネットワークなどのマルチホップ通信における無線端末間での無線通信においても有効である。この場合、無線端末（他の無線通信装置）は、上述した基地局（無線通信装置）と同一の構成部を備える。
【００４４】
さらに、上記実施例では、基地局１（無線通信装置）が無線通信を行うための変調方式を選択している。しかしながら、例えば、無線端末３（他の無線通信装置）が、基地局１から送信されるデータにより、所定の信号区間における既知信号から信号品質情報を取得し、適応変調に用いる変調方式を選択してもよい。また、上記実施例では信号品質情報としてＳＩＮＲを用いたが、これに限られるものではなく、ＳＮＲ（Ｓｉｇｎａｌ  ｔｏ  Ｎｏｉｓｅ  Ｒａｔｉｏ）、ＣＮＲ（Ｃａｒｒｉｅｒ  ｔｏ  Ｎｏｉｓｅ  Ｒａｔｉｏ）、ＣＩＮＲ（Ｃａｒｒｉｅｒ  ｔｏ  Ｉｎｔｅｒｅｒｅｎｃｅ  ａｎｄ  Ｎｏｉｓｅ  Ｒａｔｉｏ）、ＳＩＲ（Ｓｉｇｎａｌ  ｔｏ  Ｉｎｔｅｒｆｅｒｅｎｃｅ  ｐｏｗｅｒ  Ｒａｔｉｏ）、ＣＩＲ（Ｃａｒｒｉｅｒ  ｔｏ  Ｉｎｔｅｒｆｅｒｅｎｃｅ  ｐｏｗｅｒ  Ｒａｔｉｏ）等を用いても良い。
【図面の簡単な説明】
【００４５】
【図１】本発明の実施の形態にかかる無線通信システムのシステム構成を示す図である。
【図２】本発明の実施の形態にかかる無線通信装置の機能ブロックを示す図である。
【図３】本発明の実施の形態にかかる無線通信装置の変調クラス（変調方式）の選択に用いるテーブルを示す図である。
【図４】本発明の実施の形態にかかる無線通信装置の無線通信において、他の無線通信装置との無線通信に割り当てられた信号区間を示す図である。
【図５】本発明の実施の形態にかかる無線通信装置の処理フローを示す図である。
【符号の説明】
【００４６】
１：基地局（無線通信装置）
３：無線端末（他の無線通信装置）
１０：送受信部
１１：復調部
１２：信号品質情報取得部
１３：差分値算出部
１４：制御部
１５：記憶部
１６：変調部
１２０〜１２０ｎ：既知信号品質情報取得部
１３０：信号品質情報抽出部
１３１：算出部
１３２：差分値判定部
１３３：信号品質情報選択部
１４０：移動速度推定部
１４１：テーブル設定部
１４２：変調方式選択部
【図１】
2009055431.tif 000003
【図２】
2009055431.tif 000004
【図３】
2009055431.tif 000005
【図４】
2009055431.tif 000006
【図５】
2009055431.tif 000007